(57)【特許請求の範囲】
【請求項１】
マークシートに記されたデータを読み取って該データに基づき投票券を発券し、投票券の発券状況をセンタ装置に通知する１以上の投票券発券装置と，投票券の発券状況に基づき配当率を算出するセンタ装置と、からなる投票券発券システムに於ける投票券発券装置であって、
配当率と、データ中の総投資額と１以上の投資対象とに基づき総投資額を下回らない配当を得るために必要な投資額を投資対象毎に算出する投資評価手段を有することを特徴とする投票券発券装置。
【請求項２】
投資対象毎の投資額の総額が総投資額を超えない投資対象と投資額の組合せを投資評価手段が算出することを特徴とする請求項１に記載の投票券発券装置。
【請求項３】
請求項１または請求項２に記載の投票券発券装置と、投票券の発券状況に基づいて配当率を算出するセンタ装置とからなる投票券発券システム。
【発明の詳細な説明】
【０００１】
【発明の属する技術分野】
本発明は、競馬、競輪、競艇等賭け事の投票券を発券する投票券発券システムに関する。
【０００２】
近年、経済活動が世界的になり、競争の激しさが増加するに伴い、競争で疲れた神経を休めるためのレクリエーションが重要になってきている。
【０００３】
様々なレクリエーションの中でも、競馬、競輪、競艇などの賭け事は趣味と実益をかねるものとして多くの愛好家を集め、盛んに行われている。
【０００４】
以下の説明では、競馬の場合を例に上げて説明するが、これらの賭け事は１回の競争（以下，「レース」という。）に出場する馬の中で１着と２着になる馬の組み合わせ（以下、「投資対象」という。）を予想し、投資対象を記した投票券を購入してレースそのものを楽しむと共に、予想が的中した場合にはレース終了後に投票券に記された金額と確定した配当率に応じた配当を受け取ることが出来るものである。
【０００５】
主催者は投票券の売上の中から経費等を控除し、残金を配当として投票券の購入者に分配するため、同一の投資対象に対する投票券の購入者が多く、売上の多くを同一の投資対象が占める場合には該投資対象が的中しても配当率は低くなり、同一の投資対象に対する投票券の購入者が少ない場合には該投資対象が的中すると配当率が高くなる。
【０００６】
投票券の売上金額及び投資対象毎の投票券の販売状況は販売開始から販売締切までの間で時々刻々と変化するため、主催者は販売締切までの間、時々刻々と変化する投資対象毎の配当率を会場に表示し、販売締切によって売上金額と投票券の販売状況が確定するとその時点の配当率を確定配当率とする。
【０００７】
従って、総投資額を下回らない配当を得るために、配当率を見ながら投資対象を複数組み合わせて投資する方法が考えられる。
【０００８】
【従来の技術】
競馬愛好家は、例えば、東京競馬場といった会場に行き、投資対象を予想し、時々刻々と変化する配当率を見て投資対象の組合せと該配当率とに基づき投資額と配当額を算出する。
【０００９】
図５は、東京競馬場を会場とする第１０レースの馬連（馬の番号の組合せを指定する方法）の配当率を例として示す図であるが、例えば馬番１と馬番２の組合せに投票した場合、馬番１と馬番２の何れか一方が１着に、他方が２着になった場合に配当率５．０倍（即ち、千円投資した場合に配当金５千円を獲得出来る）ことを示している。
【００１０】
そして、競馬愛好家は投資額を集計し、その総額が予算内に納まるように複数の投資対象を組合せ、投資対象と投資額とをマークシートに記入して投票券発券装置に読み取らせる。
【００１１】
投票券発券システムは、１以上の投票券発券装置から通知される投票状況に従って配当率を算出し、配当率が更新される都度、通知するセンタと、
会場や会場外の売り場に設置され、マークシートを読み取る読取部と、読み取った内容を表示する表示部と、表示内容の確認結果を入力する入力部と、投票券購入のため支払われる現金を取込み金額を確認する現金取扱部と、金額が正しい場合にセンタ装置に投票内容を通知する制御部と、投票券を発券する発券部とから構成される投票券発券装置とからなる。
【００１２】
投票券発券装置は、マークシートを読み取るとマークされた内容を表示部に表示する。
【００１３】
表示内容が正しいことが確認されると、投票券発券装置は表示部に現金の支払いを案内する画面を表示し、現金が支払われ、その金額に誤りが無いことを現金取扱部が確認すると制御部が投票内容をセンタ装置に通知し、発券部が指定された投票券を発券する。
【００１４】
投票券は１着と２着の組合せ、その組合せに対する賭金の金額を記した券であって、レースの結果、投票券に記された組合せが１着と２着になった場合に確定した配当率に基づき、賭金と配当率の積として配当金が支払われる。
【００１５】
【発明が解決しようとする課題】
しかしながら、予想が的中した場合に投資総額を下回らない配当を得ることが出来る投資対象の組合せを求めるためには、会場に表示され時々刻々と更新される配当率を見ながら投資対象毎に投資額を算出し、投資額の総額が総投資額に収まるように投資対象と投資額とを配分し、投資対象と投資額とをマークシートに記入しなければならなかった。
【００１６】
そのため、会場は配当率を見ながら投資対象と投資額とを配分し、マークシートを記入する人で混雑するという問題があった。
【００１７】
本発明は、投資対象を選定すれば総投資額を下回らない配当金を得ることの出来る投資対象と投資額の組合せを容易に知ることのできる投票券購入システムを提供することを目的とする。
【００１８】
【課題を解決するための手段】
本発明は、投資対象毎にその時点での配当率が算出されているため、予想の何れかが的中するものとすると総投資額が回収出来る投資対象毎の投資額が総投資額と配当率とから算出できる点に着目し、総投資額と投資対象と配当率とから的中した場合に総投資額を下回らない配当を得ることのできる投資対象と投資額の組合せを示すようにしたものである。
【００１９】
本発明の投票券購入システムについて、図１を参照しながら説明する。
【００２０】
投票券購入システムは、一般に投票券の購入希望を受け付けて投票券を発券する１以上の投票券発券装置１と、
１以上の投票券発券装置１から報告される発券状況に基づき組み合わせの各々に対する配当率を算出し、会場に通知するセンタ装置２と、から構成される。
【００２１】
センタ装置２は、配当率算出手段２０を有し、１以上の投票券発券装置１から報告される発券状況に基づき投資対象毎の配当率を算出し、配当率が更新される度に会場に通知する装置であり、
投票券発券装置１は、マークシートからデータを読み取る読取手段１２と、
配当率と、データ中の総投資額と投票対象に基づき、的中した場合に総投資額を下回らない配当を得るために必要な投資額を投資対象毎に算出し、投資額の総額が総投資額に納まるように投資対象と投資額とを組み合わせる投資評価手段１３と、
投資評価手段１３の生成した投資対象と投資額の組合せを表示する表示手段１４と、
表示された投資対象の組合せへの投資を指示する入力手段１５と、
投票券を購入するための現金を取り込む現金取扱手段１１と、
指定された投票券を発券する発券手段１６と、を有する装置である。
【００２２】
マークシートが投票券発券装置１にセットされると、読取手段１２はマークシートから総投資予定額と投票対象とを読み取る。
【００２３】
読み取られた総投資予定額と投票対象とは投資評価手段１３に通知され、投資評価手段１３は総投資予定額とセンタ装置２から通知された配当率とに基づいて、的中した場合に総投資予定額を下回らない配当を得ることの出来る投資額を投資対象毎に算出する。
【００２４】
投資対象の各々について、的中した場合に総投資予定額を下回らない配当を得る事の出来る投資額を算出すると、投資評価手段１３は該投資額の総額が総投資予定額に納まる投資対象の組合せを抽出する。
【００２５】
そして、表示手段１４は抽出された投資対象の組合せと総投資額とを画面に表示する。
【００２６】
入力手段１５を介して表示内容通り投票券を購入するとの指示が入力され、現金取扱手段１１を介して現金が取り込まれると、現金取扱手段１１は支払われた現金が総投資額であることを確認し、購入費用が支払われたことを発券手段１６に通知し、投資評価手段１３を介してセンタ装置２に表示された内容の投票券が発券されることを通知する。
【００２７】
発券手段１６は、購入費用が支払われた旨の通知を受けると表示された内容の投票券を発券し、センタ装置２は通知された投票券の発券状況に基づき配当率を更新する。
【００２８】
【発明の実施の形態】
本発明の実施の形態について、図２〜図９を参照しながら説明する。
【００２９】
投票券発券システムは図２に示す如く、センタ装置２と１以上の投票券発券装置１とから構成される。
【００３０】
センタ装置２は、配当率算出部２００を有し、各投票券発券装置１から通知された投票券の発券状況に応じて投票券毎の配当率を算出し、投票券発券装置１に配当率が更新される度に通知する。
【００３１】
投票券発券装置１は、マークシートに記された総投資予定額と投資対象とを読み取る読取部１２０と、センタ装置２に発券状況を通知し、センタ装置２から配当率の通知を受ける制御部１００と、配当率を保持する配当率バッファ１７０と、配当率と総投資予定額と投票対象とに基づき的中した場合に総投資額を下回らない配当を得る為に必要な投資額を投票対象毎に算出し、投資額の総計が総投資予定額に納まるような投資対象の組合せを生成する投資評価部１３０と、生成された投資対象の組合せと該投資対象毎の投資額とを表示する表示部１４０と、表示された内容の投票券の購入を指示する入力部１５０と、投票券を購入するための現金を取り込んでその額を算出し、表示された総投資額と一致することを確認する現金取扱部１１０と、表示内容通りの投票券を発券する発券部１６０とからなる。
【００３２】
投票券発券装置１では、センタ装置２から配当率が通知されるとその都度制御部１００を介して配当率バッファ１７０に該配当率を格納している。そして、表示部１４０はマークシートのセットを案内する画面を表示する。（ステップＳ０１〜Ｓ０２）
マークシートが読取部１２０にセットされると、読取部１２０はマークシートに記された総投資予定額と投資対象とを読み取り、マークシートがセットされない場合にはステップＳ０１に戻る。（ステップＳ０３〜Ｓ０４）
マークシートは、図３に示す様にレースの開催される会場、レース番号、投票方法を示す式別、式別に基づき投票する番号、総投資額をマークするように構成されている。ここで、式別は投資を馬連（１着と２着の馬の番号を指定する投票方法）で行うか枠連（１着と２着の馬の属する枠というグループを指定する投票方法）で行うかを示している。
【００３３】
図４は図３のマークシートに対する記入例を示す図であって、東京競馬場の第１０レースに出場する馬番１，２，３，４の組合せに対して、総額５千円を投資することを示している。
【００３４】
投資評価部１３０は、マークシートから読取部１２０が読み取った内容と会場，レース番号，式別が一致する配当率表を配当率バッファ１７０から読み出す。そして、式別が馬番の場合にはステップＳ０７に進み、式別が枠番の場合にはステップＳ１５に進む。（ステップＳ０５〜Ｓ０６）
式別が馬連の場合、投票券発券装置１は、投資評価部１３０が配当率バッファ１７０から読み取った配当率と、マークシートから読み取った総投資予定額、投票方法及び投資対象を基に的中した場合に総投資額を下回らない配当を得るために必要な投資額を投票対象毎に算出する。
【００３５】
即ち、図４に示すマークシートを読み取った場合、投資評価部１３０は馬番１，２，３，４の組合せの全てに対して、的中した場合に総投資額を下回らない配当を得ることの出来る投資額を算出する。（ステップＳ０７）
次に、投資評価部１３０は投資対象毎の投資額を集計し、投資額の総額が総投資予定額の範囲内にある組合せを生成し（ステップＳ０８）、表示部１４０を介して表示する。（ステップＳ０９）
図６は、会場が東京競馬場の第１０レースに対して馬番１番，２番，３番，４番を馬連で総投資額５０００円分投資する場合、総投資額５０００円を、馬番１−２に１０００円，馬番１−３に８００円，馬番１−４に６００円，馬番２−３に９００円，馬番２−４に７００円，馬番３−４に９００円投資すると、的中した場合に必ず総投資額５０００円を下回らない配当を得る事が出来ることを例として示す図である。
【００３６】
ここで、入力部１５０を介して購入が指示されると、ステップＳ１２に進み、次表示が指示されるとステップＳ０９に戻り、取消が指示されると処理を終了する。（ステップＳ１０〜Ｓ１１）
購入が確定すると、投票券発券装置１は表示部１４０に入金を案内する画面を表示する。（ステップＳ１２）
そして、現金取扱部１１０に現金がセットされると現金取扱部１１０は現金を取り込んで金額が表示された総購入額に合っていることを確認し、発券部１６０と制御部１００とに費用が支払われたことを通知する。発券部１６０は通知を受けると表示された内容の投票券を発券し、制御部１００はセンタ装置２に発券状況を通知して処理を終了する。（ステップＳ１３〜Ｓ１４）
式別が枠連の場合、投票券発券装置１は、投資評価部１３０が配当率バッファ１７０から読み取った配当率と、マークシートから読み取った総投資予定額、投票方法及び投資対象を基に的中した場合に総投資額を下回らない配当を得ることの出来る投資額を投票対象毎に算出する。（ステップＳ１５）
次に、投資評価部１３０は投資対象毎の投資額を集計し、投資額の総額が総投資予定額の範囲内にある組合せを生成し（ステップＳ１６）、表示部１４０を介して表示する。（ステップＳ１７）
ここで、入力部１５０を介して購入が指示されると、ステップＳ１２に進み、次表示が指示されるとステップＳ１７に戻り、取消が指示されると処理を終了する。（ステップＳ１８〜Ｓ１９）
購入が確定すると、投票券発券装置１は表示部１４０に入金を案内する画面を表示する。（ステップＳ２０）
そして、現金取扱部１１０に現金がセットされると現金取扱部１１０は現金を取り込んで金額が表示された総購入額に合っていることを確認し、発券部１６０と制御部１００とに費用が支払われたことを通知する。発券部１６０は通知を受けると表示された内容の投票券を発券し、制御部１００はセンタ装置２に発券状況を通知して処理を終了する。（ステップＳ２１〜Ｓ２２）
【００３７】
【発明の効果】
以上説明した様に、本発明によれば予想が的中した場合に総投資額を下回らない配当を得ることの出来る投票券と投資額の組合せを容易に知る事ができ、更に予想が的中した場合に総投資額を回収できる投票券を短時間で購入出来るため、会場の混雑を緩和することが出来るという効果がある。
【図面の簡単な説明】
【図１】  本発明の原理図
【図２】  本発明の投票券発券システムの構成図
【図３】  マークシートの図
【図４】  マークシートの記入例の図
【図５】  配当率の図
【図６】  本発明の投資評価を説明する図
【図７】  本発明のフローチャート図（その１）
【図８】  本発明のフローチャート図（その２）
【図９】  本発明のフローチャート図（その３）
【符号の説明】
１  投票券発券装置
２  センタ装置
１１  現金取扱手段
１２  読取手段
１３  投資評価手段
１４  表示手段
１５  入力手段
１６  発券手段
２０  配当率算出手段
１００  制御部
１１０  現金取扱部
１２０  読取部
１３０  投資評価部
１４０  表示部
１５０  入力部
１６０  発券部
１７０  配当率バッファ
２００  配当率算出部
【図１】
0003858518.tif 000002
【図２】
0003858518.tif 000003
【図３】
0003858518.tif 000004
【図４】
0003858518.tif 000005
【図５】
0003858518.tif 000006
【図６】
0003858518.tif 000007
【図７】
0003858518.tif 000008
【図８】
0003858518.tif 000009
【図９】
0003858518.tif 000010